(57)【特許請求の範囲】
【請求項１】
入力信号から、エイリアシングが発生する周波数にダウンサンプルした信号を生成し、さらに、当該ダウンサンプル後の信号に含まれるエイリアシング雑音成分を抽出する信号生成／雑音抽出手段と、
前記ダウンサンプル後信号および前記エイリアシング雑音成分に対して個別に逆拡散処理を行う逆拡散手段と、
前記２つの逆拡散結果を合成してエイリアシング雑音成分をキャンセルする雑音キャンセル手段と、
を備えることを特徴とする受信装置。
【請求項２】
前記信号生成／雑音抽出手段は、
入力信号に対してエイリアシングが発生しない周波数でサンプルするＡ／Ｄ変換手段と、
前記Ａ／Ｄ変換後の信号をエイリアシングが発生する周波数でサンプルすることによって、２系統のダウンサンプル後信号を生成する信号生成手段と、
一方のダウンサンプル後信号から他方のダウンサンプル後信号を推定する信号推定手段と、
前記信号生成手段にて生成した他方のダウンサンプル後信号と前記信号推定手段にて推定した他方のダウンサンプル後信号との差を計算することによって、前記エイリアシング雑音成分を抽出する雑音抽出手段と、
を備えることを特徴とする請求項１に記載の受信装置。
【請求項３】
前記信号生成／雑音抽出手段は、
前記エイリアシング雑音成分の周波数をさらに低域に変換する低域周波数変換手段と、
前記周波数変換結果をエイリアシング雑音成分の周波数帯域以上の周波数でサンプルする雑音サンプル手段と、
を備えることを特徴とする請求項１または２に記載の受信装置。
【請求項４】
前記信号生成／雑音抽出手段は、
入力信号に対してエイリアシングが発生しない周波数でサンプルするＡ／Ｄ変換手段と、
前記Ａ／Ｄ変換後の信号をエイリアシングが発生する周波数でサンプルすることによって、第１のダウンサンプル後信号を生成する第１の信号生成手段と、
前記Ａ／Ｄ変換後の信号をエイリアシング雑音成分の周波数帯域以上の周波数でサンプルすることによって、第２のダウンサンプル後信号を生成する第２の信号生成手段と、
前記第１のダウンサンプル後信号から前記第２のダウンサンプル後信号を推定する信号推定手段と、
前記第２の信号生成手段にて生成した第２のダウンサンプル後信号と前記信号推定手段にて推定した第２のダウンサンプル後信号との差を計算することによって、前記エイリアシング雑音成分を抽出する雑音抽出手段と、
を備え、
前記第２の信号生成手段は、前記第１の信号生成手段が間引いた信号をサンプルすることを特徴とする請求項１に記載の受信装置。
【請求項５】
前記信号生成／雑音抽出手段は、
入力信号をエイリアシングが発生する周波数でサンプルすることによって、第１のダウンサンプル後信号を生成する第１のＡ／Ｄ変換手段と、
入力信号をエイリアシング雑音成分の周波数帯域以上の周波数でサンプルすることによって、第２のダウンサンプル後信号を生成する第２のＡ／Ｄ変換手段と、
前記第１のダウンサンプル後信号から前記第２のダウンサンプル後信号を推定する信号推定手段と、
前記第２のＡ／Ｄ変換手段にて生成した第２のダウンサンプル後信号と前記信号推定手段にて推定した第２のダウンサンプル後信号との差を計算することによって、前記エイリアシング雑音成分を抽出する雑音抽出手段と、
を備え、
前記第２のＡ／Ｄ変換手段は、前記第１のＡ／Ｄ変換手段におけるサンプル点の中間時刻をサンプルすることを特徴とする請求項１に記載の受信装置。
【請求項６】
前記雑音キャンセル手段は、
逆拡散後のダウンサンプル後信号の隣り合うサンプル点の中間時刻における値を推定するサンプル点推定手段と、
逆拡散後のエイリアシング雑音成分の周波数を高域（前記エイリアシングが発生する周波数）に変換する高域周波数変換手段と、
前記推定後のサンプル点と前記周波数変換後の信号のサンプル点とを加算する加算手段と、
を備えることを特徴とする請求項３、４または５に記載の受信装置。
【請求項７】
入力信号から、エイリアシングが発生する周波数にダウンサンプルした信号を生成し、さらに、当該ダウンサンプル後の信号に含まれるエイリアシング雑音成分を抽出する信号生成／雑音抽出手段と、
前記ダウンサンプル後信号および前記エイリアシング雑音成分を一時的に記憶する記憶手段と、
前記記憶手段から読み出した信号を合成してエイリアシング雑音成分をキャンセルする雑音キャンセル手段と、
を備えることを特徴とする受信装置。
【請求項８】
入力信号から、エイリアシングが発生する周波数にダウンサンプルした信号と、エイリアシング雑音成分の周波数帯域以上の周波数にダウンサンプルした信号と、を生成する信号生成手段と、
前記サンプル後の２系統の信号を個別にフーリエ変換するフーリエ変換手段と、
前記各フーリエ変換出力を周波数領域で演算することによって、エイリアシング雑音成分をキャンセルする雑音キャンセル手段と、
を備えることを特徴とする受信装置。
【発明の詳細な説明】
【０００１】
【発明の属する技術分野】
本発明は、エイリアシングによる特性劣化を防止可能な受信装置に関するものであり、特に、エイリアシングが発生した場合であっても、低消費電力化および小回路規模化を実現可能な受信装置に関するものである。
【０００２】
【従来の技術】
以下、従来の受信装置について説明する。図９は、スペクトラム拡散用の従来の送受信装置の構成を示す図である。図９において、２０１は送信機であり、２１１は受信機である。また、送信機２０１において、２０２は変調部であり、２０３は拡散符号発生器であり、２０４は乗算器であり、２０５は拡散部であり、２０６はロールオフフィルタであり、２０７はＤ／Ａ変換器であり、２０８は周波数変換部であり、２０９は送信アンテナである。また、受信機２１１において、２１２は周波数変換部であり、２１３はＡ／Ｄ変換器であり、２１４は逆拡散部であり、２１５は復調部であり、２１６は受信アンテナである。
【０００３】
ここで、上記のように構成される従来の送受信装置の動作について説明する。まず、送信機２０１では、変調部２０２が、伝送する情報に対して所定の変調処理を施し、変調信号を出力する。拡散部２０５では、変調信号と拡散符号発生器２０３から出力される拡散符号とを乗算器２０４にて乗算することで、変調信号に対してスペクトル拡散を実行する。ロールオフフィルタ２０６では、拡散部２０５出力に対して帯域制限のための波形整形を行う。Ｄ／Ａ変換器２０７では、波形整形後の信号を、ディジタル信号からアナログ信号に変換する。周波数変換部２０８では、受け取ったアナログ信号をＲＦに変換し、送信アンテナ２０９を介して出力する。
【０００４】
つぎに、受信機２１１では、周波数変換部２１２が、受信アンテナ２１６で受信した信号をベースバンド信号に変換する。Ａ／Ｄ変換器２１３では、ベースバンド信号を、アナログ信号からディジタル信号に変換する。その後、逆拡散部２１４では、受け取ったディジタル信号に対して逆拡散を行ない、復調部２１５では、逆拡散後の出力を復調する。
【０００５】
また、図１０は、上記逆拡散部２１４の構成を示す図であり、このように、マッチドフィルタを用いた方式がよく用いられる。図１０において、２２１はマッチドフィルタであり、２２２は補間部である。マッチドフィルタ２２１では、受信信号と参照信号（拡散符号）との相関演算を行うことで、受信信号を逆拡散する。補間部２２２では、マッチドフィルタ２２１の相関出力波形を補間し、検出タイミングの精度を向上させる。
【０００６】
標本化定理によれば、Ｗ［Ｈｚ］に帯域制限された信号を２Ｗ［Ｈｚ］以上のサンプリング周波数でサンプリングすると、元の信号を正確に再現できる。一方、２Ｗ［Ｈｚ］以下のサンプリング周波数でサンプリングすると、周波数Ｗ以上の成分が周波数Ｗ［Ｈｚ］以下に折り返されるため、元の信号を正確に再現できなくなる。この現象を「エイリアシング」と呼ぶ。
【０００７】
ロールオフフィルタ２０６の出力の周波数帯域は、拡散符号のチップレートをＲ［Ｈｚ］とし、 ロールオフフィルタ２０６のロールオフファクタをα（０≦α≦１）とした場合、（１＋α）Ｒ／２で与えられる。たとえば、Ｗ−ＣＤＭＡ（Wideband - Code Division Multiple Access）方式ではα＝０．２２が用いられる。
【０００８】
したがって、標本化定理より、Ａ／Ｄ変換器２１３のサンプルレートが（１＋α）Ｒ以上であれば、元の信号を正確に再現できる。通常は、回路の作り易さから、サンプルレートを拡散符号のチップレートの整数倍に設定する。特性の劣化を避ける場合には、サンプルレート２Ｒが、回路規模削減を優先する場合には、サンプルレートＲがよく用いられる。
【０００９】
マッチドフィルタ回路のサンプリング周波数としては、以下の２種類の選択肢がある。
（１）標本化定理を満たすように、拡散符号のチップレートに対して２倍以上の周波数でオーバサンプリングを行う。
（２）エイリアシングによる劣化を受け入れ、拡散符号のチップレートと同じ周波数でサンプリングを行う。
【００１０】
【発明が解決しようとする課題】
しかしながら、従来のスペクトラム拡散受信装置においては、Ａ／Ｄ変換器のサンプルレートを拡散符号のチップレートの２倍とすると、標本化定理を満足するので、特性劣化はないものの、一般にチップレートが高速であるため、回路規模や消費電力が大きくなる、という問題があった。
【００１１】
また、Ａ／Ｄ変換器のサンプルレートをチップレートとすると、回路規模や消費電力は削減できるが、エイリアシングによって特性が劣化してしまう、という問題があった。
【００１２】
ここで、ロールオフフィルタを通過したスペクトル拡散信号の周波数スペクトルに着目する。スペクトラム拡散信号のロールオフフィルタ (ロールオフファクタα) 通過後の周波数帯域は（１＋α）Ｒ／２である。標本化定理によれば、帯域の２倍以上の周波数でサンプリングした場合に原信号を忠実に再現できるので、サンプリング周波数はＲ（１＋α）でよい。
【００１３】
たとえば α＝０．２２の場合、チップレートの１．２５倍の周波数でオーバサンプリングを行うと、原信号を正確に再現できるため、特性劣化がなく、かつ受信回路の動作速度を２倍オーバサンプリングよりも下げることができる。しかしながら、１．２５倍という半端なオーバサンプル数によって、マッチドフィルタ回路は参照信号が多値となり、回路規模が大きくなってしまう。このため、動作速度が下がったにもかかわらず、回路規模，消費電力ともに増大する結果となる。
【００１４】
本発明は、上記に鑑みてなされたものであって、エイリアシングによる特性の劣化を引き起こすことなく、受信回路の低消費電力化および小回路規模化を実現可能な受信装置を得ることを目的とする。
【００１５】
【課題を解決するための手段】
上述した課題を解決し、目的を達成するために、本発明にかかる受信装置にあっては、入力信号から、エイリアシングが発生する周波数にダウンサンプルした信号を生成し、さらに、当該ダウンサンプル後の信号に含まれるエイリアシング雑音成分を抽出する信号生成／雑音抽出手段と、前記ダウンサンプル後信号および前記エイリアシング雑音成分に対して個別に逆拡散処理を行う逆拡散手段と、前記２つの逆拡散結果を合成してエイリアシング雑音成分をキャンセルする雑音キャンセル手段と、を備えることを特徴とする。
【００１６】
つぎの発明にかかる受信装置において、信号生成／雑音抽出手段は、入力信号に対してエイリアシングが発生しない周波数でサンプルするＡ／Ｄ変換手段と、前記Ａ／Ｄ変換後の信号をエイリアシングが発生する周波数でサンプルすることによって、２系統のダウンサンプル後信号を生成する信号生成手段と、一方のダウンサンプル後信号から他方のダウンサンプル後信号を推定する信号推定手段と、前記信号生成手段にて生成した他方のダウンサンプル後信号と前記信号推定手段にて推定した他方のダウンサンプル後信号との差を計算することによって、前記エイリアシング雑音成分を抽出する雑音抽出手段と、を備えることを特徴とする。
【００１７】
つぎの発明にかかる受信装置において、信号生成／雑音抽出手段は、前記エイリアシング雑音成分の周波数をさらに低域に変換する低域周波数変換手段と、前記周波数変換結果をエイリアシング雑音成分の周波数帯域以上の周波数でサンプルする雑音サンプル手段と、を備えることを特徴とする。
【００１８】
つぎの発明にかかる受信装置において、信号生成／雑音抽出手段は、入力信号に対してエイリアシングが発生しない周波数でサンプルするＡ／Ｄ変換手段と、前記Ａ／Ｄ変換後の信号をエイリアシングが発生する周波数でサンプルすることによって、第１のダウンサンプル後信号を生成する第１の信号生成手段と、前記Ａ／Ｄ変換後の信号をエイリアシング雑音成分の周波数帯域以上の周波数でサンプルすることによって、第２のダウンサンプル後信号を生成する第２の信号生成手段と、前記第１のダウンサンプル後信号から前記第２のダウンサンプル後信号を推定する信号推定手段と、前記第２の信号生成手段にて生成した第２のダウンサンプル後信号と前記信号推定手段にて推定した第２のダウンサンプル後信号との差を計算することによって、前記エイリアシング雑音成分を抽出する雑音抽出手段と、を備え、前記第２の信号生成手段は、前記第１の信号生成手段が間引いた信号をサンプルすることを特徴とする。
【００１９】
つぎの発明にかかる受信装置において、信号生成／雑音抽出手段は、入力信号をエイリアシングが発生する周波数でサンプルすることによって、第１のダウンサンプル後信号を生成する第１のＡ／Ｄ変換手段と、入力信号をエイリアシング雑音成分の周波数帯域以上の周波数でサンプルすることによって、第２のダウンサンプル後信号を生成する第２のＡ／Ｄ変換手段と、前記第１のダウンサンプル後信号から前記第２のダウンサンプル後信号を推定する信号推定手段と、前記第２のＡ／Ｄ変換手段にて生成した第２のダウンサンプル後信号と前記信号推定手段にて推定した第２のダウンサンプル後信号との差を計算することによって、前記エイリアシング雑音成分を抽出する雑音抽出手段と、を備え、前記第２のＡ／Ｄ変換手段は、前記第１のＡ／Ｄ変換手段におけるサンプル点の中間時刻をサンプルすることを特徴とする。
【００２０】
つぎの発明にかかる受信装置において、雑音キャンセル手段は、逆拡散後のダウンサンプル後信号の隣り合うサンプル点の中間時刻における値を推定するサンプル点推定手段と、逆拡散後のエイリアシング雑音成分の周波数を高域（前記エイリアシングが発生する周波数）に変換する高域周波数変換手段と、前記推定後のサンプル点と前記周波数変換後の信号のサンプル点とを加算する加算手段と、を備えることを特徴とする。
【００２１】
つぎの発明にかかる受信装置にあっては、入力信号から、エイリアシングが発生する周波数にダウンサンプルした信号を生成し、さらに、当該ダウンサンプル後の信号に含まれるエイリアシング雑音成分を抽出する信号生成／雑音抽出手段と、前記ダウンサンプル後信号および前記エイリアシング雑音成分を一時的に記憶する記憶手段と、前記記憶手段から読み出した信号を合成してエイリアシング雑音成分をキャンセルする雑音キャンセル手段と、を備えることを特徴とする。
【００２２】
つぎの発明にかかる受信装置にあっては、入力信号から、エイリアシングが発生する周波数にダウンサンプルした信号と、エイリアシング雑音成分の周波数帯域以上の周波数にダウンサンプルした信号と、を生成する信号生成手段と、前記サンプル後の２系統の信号を個別にフーリエ変換するフーリエ変換手段と、前記各フーリエ変換出力を周波数領域で演算することによって、エイリアシング雑音成分をキャンセルする雑音キャンセル手段と、を備えることを特徴とする。
【００２３】
【発明の実施の形態】
以下に、本発明にかかる受信装置の実施の形態を図面に基づいて詳細に説明する。なお、この実施の形態によりこの発明が限定されるものではない。
【００２４】
実施の形態１．
図１は、本発明にかかるスペクトラム拡散用受信装置の実施の形態１の構成を示す図である。図１において、１はＡ／Ｄ変換器であり、２はスイッチであり、３はフィルタであり、４は減算器であり、５は発振器であり、６は乗算器であり、７はスイッチであり、８は１／ｎ倍オーバサンプルマッチドフィルタであり、９はフィルタであり、１０は乗算器であり、１１は１倍オーバサンプルマッチドフィルタであり、１２は加算器であり、１３はスイッチである。
【００２５】
ここで、上記のように構成される実施の形態１の受信装置の動作について説明する。なお、入力信号は、チップレートＲの拡散符号で拡散されたスペクトル拡散信号がロールオフ率αのロールオフフィルタを通過した状態の信号とする。また、入力信号の周波数帯域は（１＋α）Ｒ／２である。
【００２６】
Ａ／Ｄ変換器１では、入力信号をサンプルレート２Ｒでサンプリングする。スイッチ２では、Ａ／Ｄ変換器１出力（サンプルレート２Ｒ）に対してシリアル／パラレル変換を行い、サンプルレートＲにダウンサンプルされた２つの信号を出力する。２つのサンプルレートＲの信号のうち、図１中のＡ地点における信号をフィルタ３に入力する。フィルタ３の出力は、Ａ地点の信号からＢ地点の信号を推定したものである。減算器４では、Ｂ地点の信号とその推定値との誤差（エイリアシング雑音成分）を出力する。
【００２７】
この誤差は、帯域（１＋α）Ｒ／２の信号をサンプルレートＲでサンプルしたことによって、周波数Ｒ／２以上の成分がＲ／２以下に折り返されたものであるから、その周波数成分は、周波数（１−α）Ｒ／２〜Ｒ／２の範囲に集中している。そこで、乗算器６では、この誤差信号に対して発振器５から出力される信号を乗算し、誤差信号の周波数を直流近傍の周波数に変換する。発振器５の出力は、１，−１，１，−１…の繰り返しで、サンプルレートはＲである。
【００２８】
スイッチ７では、周波数変換後の乗算器６出力をサンプルレートＲ／ｎでサンプルする。ここで、ｎはｎ≦１／αの条件を満たす正の整数である。
【００２９】
１／ｎ倍オーバサンプルマッチドフィルタ８では、レート変換後のスイッチ７出力を逆拡散する。フィルタ９では、逆拡散結果のサンプルレートをＲ／ｎからＲに変換する。乗算器１０では、レート変換後のフィルタ９出力に発振器５の出力を乗算し、周波数Ｒ／２近傍に周波数を変換する。
【００３０】
一方、１倍オーバサンプルマッチドフィルタ１１では、Ａ地点における信号を逆拡散する。フィルタ３では、逆拡散信号のサンプル点同士の中間点における値を推定する。
【００３１】
加算器１２では、補間後のフィルタ３出力と周波数変換後の乗算器１０出力とを加算する。スイッチ１３では、１倍オーバサンプルマッチドフィルタ１１出力と加算器１２出力とを交互に出力し、２倍オーバサンプルの逆拡散信号を出力する。
【００３２】
このように、本実施の形態においては、２倍オーバサンプルマッチドフィルタを使用するかわりに １倍オーバサンプルマッチドフィルタと１／ｎ倍オーバサンプルマッチドフィルタを組み合わせて使用する構成とした。これにより、２倍オーバサンプルマッチドフィルタを使用する場合と比較してより小規模のハードウェアによる実装が可能となる。
【００３３】
また、逆拡散出力（ｏｕｔｐｕｔ）にはエイリアシングによる歪みが含まれないので、たとえば、１倍オーバサンプルマッチドフィルタのみを用いる場合と比較して、より良好な受信特性を得ることができる。
【００３４】
また、同期検出等に使用する場合は、１倍オーバサンプルマッチドフィルタのみを用いる場合と比較して同期検出特性が良好となるため、同期検出時間が短縮され、動作時間短縮，消費電力削減を実現できる。また、（１＋１／α）倍オーバサンプルによる受信機を構成する場合と比べて、参照信号（拡散符号）が多値にならないため、回路規模が大幅に削減できる。
【００３５】
なお、図１では、Ａ／Ｄ変換器１の出力が直接スイッチ２に入力されているが、これに限らず、これらの間に別のディジタル処理回路が挿入されている場合であっても上記と同様の効果を得ることができる。
【００３６】
また、本実施の形態では、ベースバンド信号をＡ／Ｄ変換した場合の説明を行ったが、たとえば、ＩＦ帯オーバサンプリングやＩＦ帯アンダーサンプリングを行った場合であってもよい。ＩＦ帯サンプリングの場合も、サンプリングによる周波数スペクトラムの折り返しを考慮し、エイリアシング部分の帯域に応じてｎの値を決定する。
【００３７】
なお、本実施の形態においては、１倍オーバサンプルマッチドフィルタ１１および１／ｎ倍オーバサンプルマッチドフィルタ８の出力を用いる構成としたが、各マッチドフィルタの後段に巡回積分器を挿入し、マッチドフィルタ出力信号のＳ／Ｎを改善した後に、前述と同様の手順で２倍オーバサンプルの逆拡散信号を出力する構成とした場合であっても同様の効果を得ることができる。
【００３８】
実施の形態２．
図２は、本発明にかかるスペクトラム拡散用受信装置の実施の形態２の構成を示す図であり、１４，１５はスイッチである。実施の形態１の図１との相違点は、ｎは正の偶数であること，発振器５の出力を乗算する箇所が１箇所であること，減算器４の動作速度がＲ／ｎであること、の３点である。
【００３９】
ここで、実施の形態２の動作を説明する。なお、ここでは、前述した実施の形態１と異なる動作についてのみ説明する。
【００４０】
スイッチ１４では、サンプルレート２ＲでＡ／Ｄ変換後の信号をサンプルレートＲでサンプルする。一方、スイッチ１５では、サンプルレート２ＲでＡ／Ｄ変換後の信号をサンプルレートＲ／ｎでダウンサンプルする。ただし、スイッチ１５におけるレート変換後の出力タイミングは、スイッチ１４が間引いた点とする。
【００４１】
フィルタ３では、レート変換後のスイッチ１４出力から、スイッチ１４が間引いた点の値を推定する。
【００４２】
なお、本実施の形態では、ｎを偶数としたので、スイッチ７出力は、常に同じ値が乗算され、以下の説明のように簡略化できる。スイッチ７では、フィルタ３出力の推定値をサンプルレートＲ／ｎでサンプルする。減算器４では、サンプルレートＲ／ｎにレート変換後の、スイッチ１５出力とスイッチ７出力との差を計算する。ここでは、ｎが偶数であるため、前述の乗算器６が省略でき、また、減算器４の動作速度がＲ／ｎと遅くなる。
【００４３】
また、１倍オーバサンプルマッチドフィルタ１１では、スイッチ１４出力の信号を逆拡散する。
【００４４】
このように、本実施の形態においては、前述の実施の形態１と比較して、減算器の動作速度がＲ／ｎと遅くなっており、かつ発振器５の出力を乗算する箇所が１箇所と減っている。そのため、前述の実施の形態１と同様の効果が得られるとともに、さらなる回路規模の縮小化および低消費電力化を実現できる。
【００４５】
なお、図２では、Ａ／Ｄ変換器１の出力が直接スイッチ１４に入力されているが、これに限らず、これらの間に別のディジタル処理回路が挿入されている場合であっても上記と同様の効果を得ることができる。
【００４６】
また、本実施の形態においては、１倍オーバサンプルマッチドフィルタ１１および１／ｎ倍オーバサンプルマッチドフィルタ８の出力を用いる構成としたが、各マッチドフィルタの後段に巡回積分器を挿入し、マッチドフィルタ出力信号のＳ／Ｎを改善した後に、前述と同様の手順で２倍オーバサンプルの逆拡散信号を出力する構成とした場合であっても同様の効果を得ることができる。
【００４７】
実施の形態３．
図３は、本発明にかかるスペクトラム拡散用受信装置の実施の形態３の構成を示す図であり、１６は発振器である。前述の実施の形態２との相違点は、ｎが正の奇数であること，発振器１６の動作速度がＲ／ｎであること，乗算器６を用いること、の３点である。
【００４８】
ここで、実施の形態３の動作を説明する。なお、ここでは、前述した実施の形態１または２と異なる動作についてのみ説明する。
【００４９】
本実施の形態では、ｎを奇数としたので、スイッチ７出力を以下の説明のように簡略化できる。スイッチ７では、フィルタ３出力をサンプルレートＲ／ｎでサンプルする。減算器４では、レート変換後のスイッチ１５出力とスイッチ７出力との差を計算する。乗算器６では、誤差信号に対して発振器１６から出力される信号を乗算する。ｎが奇数であるため、乗算器６をサンプルレートＲ／ｎの部分に配置できる。また、減算器４の動作速度をＲ／ｎと遅くできる。
【００５０】
このように、本実施の形態においては、減算器４，乗算器６，発振器１６の動作速度がＲ／ｎであり、実施の形態１よりも低速な動作となる。これにより、さらなる回路規模の縮小化および低消費電力化を実現できる。
【００５１】
実施の形態４．
図４は、本発明にかかるスペクトラム拡散用受信装置の実施の形態４の構成を示す図であり、１７，１８はＡ／Ｄ変換器である。前述した実施の形態２との相違点は、サンプルレートがＲとＲ／ｎの、２個のＡ／Ｄ変換器を用いる点である。
【００５２】
ここで、実施の形態４の動作を説明する。なお、ここでは、前述した実施の形態１、２または３と異なる動作についてのみ説明する。
【００５３】
Ａ／Ｄ変換器１７では、入力信号をサンプルレートＲでサンプルする。一方、Ａ／Ｄ変換器１８では、入力信号をサンプルレートＲ／ｎでサンプルする。ただし、Ａ／Ｄ変換器１８は、サンプル点がＡ／Ｄ変換器１７のサンプル点の中間となるようにサンプルする。フィルタ３では、 サンプルレートＲでＡ／Ｄ変換後の信号を受け取り、隣り合うサンプル点の中間点における値を推定する。
【００５４】
このように、本実施の形態においては、サンプルレートが２ＲのＡ／Ｄ変換器を用いずに、サンプルレートがＲとＲ／ｎの２個のＡ／Ｄ変換器を用いる構成とした。これにより、前述した実施の形態２と同様の効果が得られるとともに、さらなる回路規模の縮小化を実現できる。
【００５５】
また、Ａ／Ｄ変換器のサンプルレートがＲとＲ／ｎであるため、サンプルレート２ＲのＡ／Ｄ変換器を使用する場合と比較してＡ／Ｄ変換器の動作率が低くなり、さらなる低消費電力化を実現できる。
【００５６】
なお、本実施の形態では、ｎが偶数の場合について記述したが、たとえば、ｎが奇数の場合には、前述した実施の形態３の構成を適用する。
【００５７】
実施の形態５．
図５は、本発明にかかる受信装置の実施の形態５の構成を示す図であり、１９はＡ／Ｄ変換器であり、２０，２１はメモリである。前述した実施の形態１との相違点は、マッチドフィルタをメモリに置き換えた点である。
【００５８】
ここで、実施の形態５の動作を説明する。なお、ここでは、前述した実施の形態１と異なる動作についてのみ説明する。また、本実施の形態では、入力信号を４ビットＡ／Ｄ変換し、２×Ｒ×Ｎ個のメモリに記憶する回路を想定する。
【００５９】
図６は、上記記憶回路の一例を示す図である。図６において、２２はメモリである。この場合、メモリ容量は４×２×Ｒ×Ｎビット分だけ必要である。一方、図５の回路を用いることにより、情報量を落とすことなく、図６と同等の記憶回路を実現できる。
【００６０】
図５を用いて具体的に説明すると、まず、Ａ／Ｄ変換器１９では、入力信号をサンプルレート２Ｒ、量子化ビット数４ビットで、Ａ／Ｄ変換を実施する。
【００６１】
そして、Ａ地点における信号がメモリ２０に入力され、また、スイッチ７の出力がメモリ２１に入力される。メモリ２１への入力信号は、エイリアシングによる誤差成分であり、一般に入力信号よりもレベルが低いので、１サンプルあたりのビット数は、メモリ２０のビット数よりも少なくて済む。一例として、図５では、メモリ２１における１サンプルあたりのビット数を２ビットとした。したがって、図５のメモリ容量は、４×Ｒ×Ｎ＋２×Ｒ×Ｎ／ｎ［ビット］となる。すなわち、ｎ＝４の場合は、４．５ＲＮ［ビット］となる。このように、図６では、８ＲＮであるから、メモリ容量はほぼ半分に削減される。
【００６２】
つぎに、フィルタ９では、メモリ２１から読み出した信号のサンプルレートＲ／ｎをＲに変換する。一方、フィルタ３では、メモリ２０から読み出したデータの隣り合うサンプル同士の中間点における値を推定する。
【００６３】
このように、本実施の形態においては、２倍オーバサンプル用の容量を持つメモリを使用するかわりに、１倍オーバサンプル用のメモリと１／ｎ倍オーバサンプル用のメモリとを組み合わせて使用する構成とした。これにより、特性を劣化させることなく、メモリ容量を大幅に削減できる。
【００６４】
なお、本実施の形態のような２つのメモリを備える構成は、ｎが偶数の場合や奇数の場合、前述した実施の形態２や実施の形態３における回路の簡略化を適用できる。
【００６５】
また、本実施の形態の構成は、上記に限らず、帯域制限されたディジタル信号を伝送し、伝送するサンプル数を、標本化定理を満たす限界まで削減したい場合においても、回路を複雑化することなく実現できる。たとえば、基地局のように、多数のモデムを並列に使用するような環境で、かつＡ／Ｄ変換器から各モデムへの伝送容量 （配線数）を削減するような用途、に適用してもよい。
【００６６】
実施の形態６．
図７は、本発明にかかる受信装置の実施の形態６の構成を示す図である。図７において、２４，２５はスイッチであり、２６，２７はメモリであり、２８，２９はＦＦＴ（fast fourier transform）演算部であり、３０は周波数軸上演算処理部であり、３１はメモリである。
【００６７】
ここで、実施の形態６の動作を説明する。なお、ここでは、前述した実施の形態１〜５と異なる動作についてのみ説明する。入力信号は、周波数帯域が（１＋α）Ｒ／２以下に制限されているものとし、０≦α≦１である。本実施の形態では、入力信号に対して４ビットＡ／Ｄ変換を行い、さらに、２×Ｎ点ＦＦＴ処理を行い、その結果をメモリに格納する回路を想定する。
【００６８】
このような回路は、マルチキャリヤＣＤＭＡやＯＦＤＭ（orthogonal frequency division multiplex）などで一般的に使用されるものである。図８は、マルチキャリヤＣＤＭＡやＯＦＤＭで一般的に使用される回路の一例を示す図である。図８において、３２はメモリであり、３３はＦＦＴ演算部であり、３４はメモリであり、メモリ容量は入出力合わせて（４＋８）×２×Ｎビットだけ必要である。
【００６９】
図７を用いて具体的に説明すると、まず、Ａ／Ｄ変換器１９では、入力信号をサンプルレート２Ｒ、量子化ビット数４ビットで、Ａ／Ｄ変換を実施する。
【００７０】
スイッチ２４では、Ａ／Ｄ変換後の信号のサンプルレートをＲに変換する。一方、スイッチ２５では、Ａ／Ｄ変換後の信号のサンプルレートをＲ／ｎに変換する。ただし、スイッチ２５では、レート変換出力のタイミングがスイッチ２４が間引いた点になるように動作する。メモリ２６，２７では、スイッチ２４，２５の出力をそれぞれＮサンプル，Ｎ／ｎサンプル毎に格納する。なお、ｎを、ｎ≦１／αを満たす正の整数とする。たとえば、図８が１０２４点ＦＦＴを実現する回路であり、α＝０．２２の場合、Ｎ＝５１２，ｎ＝４，Ｎ／ｎ＝１２８となる。
【００７１】
ＦＦＴ演算部２８，２９では、それぞれメモリ２６，２７の内容を読み出し、読み出したデータを周波数領域に変換する。周波数軸上演算処理部３０では、エイリアシングによる誤差のキャンセル処理を周波数軸上で行う。そして、誤差キャンセル後の周波数軸上演算処理部３０の出力をメモリ３１に格納する。
【００７２】
このように、本実施の形態においては、２×Ｎ点ＦＦＴのかわりにＮ点ＦＦＴとＮ／ｎ点ＦＦＴを用いる構成とした。これにより、特性を劣化させることなくメモリ使用量を削減できる。また、ＦＦＴ演算量の削減，消費電力の削減を実現できる。
【００７３】
【発明の効果】
以上、説明したとおり、本発明によれば、逆拡散手段として、たとえば、１倍オーバサンプルマッチドフィルタと１／ｎ倍オーバサンプルマッチドフィルタを組み合わせて使用する構成とした。これにより、２倍オーバサンプルマッチドフィルタを使用する場合と比較して、より小規模のハードウェアによる実装が可能となる、という効果を奏する。また、上記組み合わせによれば、装置出力にエイリアシングによる歪みが含まれないので、たとえば、１倍オーバサンプルマッチドフィルタのみを用いる場合と比較して、より良好な受信特性を得ることができる、という効果を奏する。また、たとえば、同期検出等に使用する場合には、１倍オーバサンプルマッチドフィルタのみを用いる場合と比較して同期検出特性が良好となるため、同期検出時間が短縮され、動作時間短縮，消費電力削減を実現できる、という効果を奏する。
【００７４】
つぎの発明によれば、２系統のうちの一方のダウンサンプル後信号から他方のダウンサンプル後信号を推定し、２系統のうちの他方のダウンサンプル後信号と推定ダウンサンプル後信号との差を計算する構成とした。これにより、簡易な構成でエイリアシング雑音成分を抽出できる、という効果を奏する。
【００７５】
つぎの発明によれば、雑音サンプル手段が、受け取った信号を、エイリアシング雑音成分の周波数帯域以上の周波数でサンプルする構成とした。これにより、動作速度が遅くなるため、低消費電力化を実現できる、という効果を奏する。
【００７６】
つぎの発明によれば、雑音抽出手段の動作速度がさらに遅くなっているため、さらなる回路規模の縮小化および低消費電力化を実現できる、という効果を奏する。
【００７７】
つぎの発明によれば、エイリアシングが発生しない周波数でサンプルするＡ／Ｄ変換器を用いずに、エイリアシングが発生する周波数Ｒでサンプルする第１のＡ／Ｄ変換手段と、エイリアシング雑音成分の周波数帯域以上の周波数でサンプルする第２のＡ／Ｄ変換手段と、を用いる構成とした。これにより、さらなる回路規模の縮小化を実現できる、という効果を奏する。また、エイリアシングが発生しない周波数でサンプルするＡ／Ｄ変換器よりもサンプルレートが遅くなるため、Ａ／Ｄ変換器の動作率が低くなり、さらなる低消費電力化を実現できる、という効果を奏する。
【００７８】
つぎの発明によれば、逆拡散後のダウンサンプル後信号の隣り合うサンプル点の中間時刻における値を推定する。一方で、逆拡散後のエイリアシング雑音成分の周波数を高域に変換する。そして、補間後の信号と周波数変換後の信号とを加算する。これにより、簡易な構成でエイリアシング雑音成分をキャンセルできる、という効果を奏する。
【００７９】
つぎの発明によれば、記憶手段として、たとえば、１倍オーバサンプル用のメモリと１／ｎ倍オーバサンプル用のメモリとを組み合わせて使用する構成とした。これにより、２倍オーバサンプル用のメモリを用いる場合と比較して、特性を劣化させることなくメモリ容量を大幅に削減できる、という効果を奏する。
【００８０】
つぎの発明によれば、フーリエ変換手段として、たとえば、Ｎ点ＦＦＴとＮ／ｎ点ＦＦＴを用いる構成とした。これにより、２×Ｎ点ＦＦＴを用いた場合と比較して、特性を劣化させることなくメモリ使用量を削減できる、という効果を奏する。また、ＦＦＴ演算量の削減，消費電力の削減を実現できる、という効果を奏する。
【図面の簡単な説明】
【図１】  本発明にかかるスペクトラム拡散用受信装置の実施の形態１の構成を示す図である。
【図２】  本発明にかかるスペクトラム拡散用受信装置の実施の形態２の構成を示す図である。
【図３】  本発明にかかるスペクトラム拡散用受信装置の実施の形態３の構成を示す図である。
【図４】  本発明にかかるスペクトラム拡散用受信装置の実施の形態４の構成を示す図である。
【図５】  本発明にかかる受信装置の実施の形態５の構成を示す図である。
【図６】  記憶回路の一例を示す図である。
【図７】  本発明にかかる受信装置の実施の形態６の構成を示す図である。
【図８】  マルチキャリヤＣＤＭＡやＯＦＤＭで一般的に使用される回路の一例を示す図である。
【図９】  スペクトラム拡散用の従来の送受信装置の構成を示す図である。
【図１０】  逆拡散部の構成を示す図である。
【符号の説明】
１，１７，１８，１９  Ａ／Ｄ変換器、２，７，１３，１４，１５，２４，２５  スイッチ、３，９  フィルタ、４  減算器、５，１６  発振器、６，１０  乗算器、８  １／ｎ倍オーバサンプルマッチドフィルタ、１１  １倍オーバサンプルマッチドフィルタ、１２  加算器、２０，２１，２６，２７，３１  メモリ、２８，２９  ＦＦＴ演算部、３０  周波数軸上演算処理部。
【図１】
0003695586.tif 000002
【図２】
0003695586.tif 000003
【図３】
0003695586.tif 000004
【図４】
0003695586.tif 000005
【図５】
0003695586.tif 000006
【図６】
0003695586.tif 000007
【図７】
0003695586.tif 000008
【図８】
0003695586.tif 000009
【図９】
0003695586.tif 000010
【図１０】
0003695586.tif 000011